(57)【特許請求の範囲】
【請求項１】
一対の装飾部材を備え、
一方の装飾部材の一端に設けられる一対の取付脚部と、他方の装飾部材の一端に設けられ前記一対の取付脚部に弾性部材を介して連結される取付基部と、前記一対の取付脚部に前記弾性部材を回転可能に軸着する連結ピンと、を有する装身具であって、
前記弾性部材は先端にバネ性を有するＵ字状の屈曲部と、該屈曲部から延びる対向する一対の弾性片と、を備え、
前記弾性部材の端部である基端が前記取付基部に固定され、前記弾性部材のＵ字状の屈曲部のバネ弾性により前記一対の弾性片が前記取付脚部に弾性的に挟着される装身具。
【請求項２】
前記屈曲部から延びる対向する一対の弾性片は、前記弾性部材の基端に向かって平行に延び、対向する一対の弾性片の間に所定の隙間を有する請求項１に記載の装身具。
【請求項３】
前記屈曲部は、Ｕ字状の曲面を有する請求項１に記載の装身具。
【請求項４】
前記弾性部材は、前記装飾部材より硬質の板状部材をＵ字状に屈曲形成した板バネからなる請求項１乃至３のいずれかに記載の装身具。
【請求項５】
前記一対の取付脚部は、装飾部材の一端に二股状に形成され、その内方に前記弾性部材を収納する凹部が設けられる請求項１に記載の装身具。
【請求項６】
前記取付脚部の凹部にカラーが装着され、カラーを介して前記弾性部材が取付脚部に挟着される請求項５に記載の装身具。
【請求項７】
前記カラーは、前記装飾部材より硬質の部材によって形成され、前記凹部の内周面を被覆する請求項６に記載の装身具。
【発明の詳細な説明】
【技術分野】
【０００１】
本発明は、クリップ式の装身具に関するものである。
【背景技術】
【０００２】
従来、クリップ式の装身具としては、半円状からなる一対の装飾部材の連結部分に取付脚部と取付基部とを設け、この取付脚部と取付基部との間にワッシャなどバネ性を有する金属板材を挟んで軸着するとともに、金属板材とともに軸部をかしめた構造のイヤリングが知られている（特許文献１，２，３）。これらのイヤリングでは、取付脚部と取付基部とが相対的に回動する際の金属板材による接触摩擦抵抗によって、耳たぶを挟む挟着力を得るようにしている。
【先行技術文献】
【特許文献】
【０００３】
【特許文献１】特開２０００−２２９００７号公報
【特許文献２】実用新案登録第３１５８４４８号公報
【特許文献３】特開２０１７−１２１３８２号公報
【発明の概要】
【発明が解決しようとする課題】
【０００４】
しかしながら、上記従来の装身具にあっては、一対の装飾部材の開閉を繰り返すことで金属板材のバネ力が低下し、長期間に亘って使用する間に挟着力が低下してしまうといった問題があった。
【０００５】
そこで、本発明が解決しようとする課題は、所定の挟着力を長期間に亘って維持することのできる装身具を提供するものである。
【課題を解決するための手段】
【０００６】
上記課題を解決するために、本発明に係る装身具は、一対の装飾部材を備え、一方の装飾部材の一端に設けられる一対の取付脚部と、他方の装飾部材の一端に設けられ前記一対の取付脚部に弾性部材を介して連結される取付基部と、前記一対の取付脚部に前記弾性部材を回転可能に軸着する連結ピンと、を有する装身具であって、前記弾性部材は先端にバネ性を有するＵ字状の屈曲部と、該屈曲部から延びる対向する一対の弾性片と、を備え、
前記弾性部材の端部である基端が前記取付基部に固定され、前記弾性部材のＵ字状の屈曲部のバネ弾性により前記一対の弾性片が前記取付脚部に弾性的に挟着される。
【０００７】
また、本発明に係る装身具の一実施形態では、前記屈曲部から延びる対向する一対の弾性片は、前記弾性部材の基端に向かって平行に延び、対向する一対の弾性片の間に所定の隙間を有する。
【０００８】
また、本発明に係る装身具の一実施形態では、前記取付脚部の凹部にカラーが装着され、カラーを介して前記弾性部材が取付脚部に挟着される。また、前記カラーは、硬質材によって形成され、前記凹部の内周面を被覆する。
【発明の効果】
【０００９】
本発明に係る装身具によれば、一方の装飾部材の一端に設けられる一対の取付脚部と、他方の装飾部材の一端に設けられ取付基部との連結部分に挟着される弾性部材が、屈曲部と、この屈曲部から延びる対向する一対の弾性片と、を備えている。弾性部材は、屈曲部及び一対の弾性片のバネ力が長期間に亘って低下しないので、連結部分における所定の挟着力を長期間に亘って維持することができる。
【００１０】
また、本発明に係る装身具によれば、前記弾性部材は、屈曲部を先端に有し、屈曲部から延びる対向する一対の弾性片の間に隙間を有しているので、前記一対の弾性片には開閉方向のバネ力が付与される。
【００１１】
また、本発明に係る装身具によれば、前記取付脚部の凹部にカラーが装着され、このカラーを介して前記弾性部材が取付脚部に挟着されるので、一対の装飾部材同士が擦れ合うことがなく、装飾部材をスムーズに回転させることができる。
【図面の簡単な説明】
【００１２】
【図１】本発明の一実施形態に係る装身具の分解斜視図である。
【図２】一対の装飾部材に各端部にカラーと弾性部材を組み込んだ斜視図である。
【図３】一対の装飾部材の連結部分の断面図である。
【図４】本発明の装身具を装着した状態を示す正面図である。
【図５】本発明の装身具を耳たぶから取り外した状態を示す正面図である。
【発明を実施するための形態】
【００１３】
以下、本発明に係る装身具の実施形態を図面に基づいて詳細に説明する。なお、図面は、本発明の装身具を模式的に表したものである。これらの実物の寸法及び寸法比は、図面上の寸法及び寸法比と必ずしも一致していない。また、重複説明は適宜省略させることがあり、同一部材には同一符号を付与することがある。さらに、本発明の技術的範囲は以下で説明する各実施の形態には限定されず、特許請求の範囲に記載された発明とその均等物に及ぶ点に留意されたい。
【００１４】
図１及び図２には本発明に係る装身具をイヤリングに適用した場合の分解図が、図３には一対の装飾部材の連結部分の断面図が、図４及び図５にはイヤリングを開閉した状態の正面図がそれぞれ示されている。イヤリング１は、半円状の一対の装飾部材２，３と、一方の装飾部材２の一端に設けられる一対の取付脚部４と、他方の装飾部材３の一端に設けられ前記取付脚部４に連結される取付基部５と、前記取付脚部４と取付基部５との連結部分を回転可能に軸着する連結ピン６と、を備えている。
【００１５】
前記一対の装飾部材２，３は対向して配置され、互いの一端部を回動可能に連結することで、装飾部材２，３の他端側を開閉可能とするリング状のイヤリングを形成している。前記一対の取付脚部４は、前記装飾部材２の一端を二股状に形成したものであり、各先端部付近には前記連結ピン６を挿通させるピン孔７ａが設けられている。また、一対の取付脚部４の内方には前記装飾部材３の一端の取付基部５に固定された弾性部材１０を収納する凹部８が設けられる。
【００１６】
前記装飾部材２，３は、装飾効果を高めるため、金、プラチナ、シルバーなどの貴金属材や真鍮などの金属材によって形成されることが多い。また、装飾部材２，３の一部にダイヤモンドなどの宝石を配置して装飾効果をさらに高めることもできる。
【００１７】
この実施形態において、前記一対の取付脚部４の凹部８にはカラー９が装着され、このカラー９を介して前記弾性部材１０が取付脚部４に挟着される。カラー９は、前記装飾部材２，３より硬質の部材で形成されることが望ましく、例えばステンレスなどが用いられる。カラー９は、前記取付脚部４の凹部８の内側面８ａを被覆する側壁部９ａと、凹部８の内奥面８ｂを被覆する後壁部９ｂとで略コの字状に折曲げ形成され、凹部８の内周面全体を被覆している。後壁部９ｂは、カラー９が凹部８から離脱しないように突起状に形成され、この後壁部９ｂが凹部８の内奥面に設けられた抜け止め用の凹み８ｂに嵌め込まれる。カラー９は、凹部８の内周壁に圧接されることで取付脚部４に一体に固定される。前記取付脚部４に設けられるピン孔７ａと同様、カラー９にも前記ピン孔７ａと同じ位置にピン孔７ｂが設けられる。なお、取付脚部４及びカラー９の先端形状は共に曲面形状となっている。
【００１８】
一方、装飾部材３の一端に設けられる取付基部５は、前記装飾部材２の取付脚部４に対応して二股状に形成され、その内方には弾性部材１０の基端１０ｃが収納される凹部１１が設けられている。凹部１１の横幅は弾性部材１０の横幅に対応しており、また凹部１１の内奥面には弾性部材１０の抜け止め用の凹み１１ｂが設けられている。なお、取付基部５の先端形状は、前記取付脚部４及びカラー９の先端の曲面形状を受け入れて先端同士が回転可能となるような湾曲形状となっている。
【００１９】
前記弾性部材１０は、前記カラー９と同様、装飾部材２，３より硬質の材料で形成されることが望ましく、例えばステンレスなどの板状部材を略Ｕ字状に屈曲形成した板バネからなり、前記半円状の装飾部材２の取付脚部４の形状に対応した一見そら豆に似た形状からなる。この弾性部材１０は、先端に形成される屈曲部１０ａと、この屈曲部１０ａの両端から基端１０ｃに向かって平行に延びる対向する一対の板状の弾性片１０ｂを備え、屈曲部１０ａの弾性によって一対の弾性片１０ｂにバネ力が付与される。弾性部材１０は、屈曲部１０ａ及び一対の弾性片１０ｂのバネ性を利用して前記取付脚部４に挟着される。前記屈曲部１０ａは先端にＵ字状の曲面を有しており、一対の弾性片１０ｂに安定したバネ力を付与している。屈曲部１０ａのＵ字状の曲面形状や曲率の大きさなどによって弾性片１０ｂのバネ力を調整することができる。
【００２０】
前記弾性部材１０の先端の屈曲部１０ａから基端１０ｃに向かって平行に延びる対向する一対の弾性片１０ｂの間には所定の隙間１２が形成されている。このように、対向する一対の弾性片１０ｂの間に所定の隙間１２を確保することで、一対の弾性片１０ｂには開閉方向のバネ力が確実に付与されることになる。また、一対の弾性片１０ｂが先端の屈曲部１０ａから連続してつながっていると共に、一枚の板状部材をＵ字状に屈曲形成してあるため、所定のバネ力が長期間に亘って維持されるメリットがある。なお、また、前記隙間１２の間隔は特に限定されるものではなく、必要なバネ力を得るために適宜調整され得るものである。
【００２１】
特にこの実施形態における弾性部材１０には、先端の屈曲部１０ａの上下端に切欠き１０ａ’が設けられている。そのため、屈曲部１０ａの上下幅が弾性片１０ｂの上下幅より狭いものとなっている。屈曲部１０ａの上下端の角をなくすことで、弾性部材１０の回転時における先端の屈曲部１０ａとカラー９との擦れ合いを確実に防ぐことができる。
【００２２】
また、弾性部材１０の基端１０ｃには、前記取付基部５の凹部１１に設けられた凹み１１ｂに嵌め込まれる突起１０ｄが形成されている。さらに、弾性部材１０の一対の弾性片１０ｂには、前記取付脚部４のピン孔７ａ及びカラー９のピン孔７ａと同様、連結ピン６が挿通するピン孔７ｃが設けられている。
【００２３】
前記弾性部材１０は、その基端１０ｃ側が取付基部５の凹部１１に嵌め込まれる。嵌め込む際に弾性部材１０の基端１０ｃ側を少し押し縮めるようにして嵌め入れる。凹部１１の内側面１１ａに基端１０ｃの側面を押圧させることで、一対の弾性片１０ｂにバネ性が付与されることになる。基端１０ｃに形成した突起１０ｄを凹部１１の内奥面に設けた凹１１ｂに嵌め入れて位置決めすると共に、凹部１１に嵌め入れた基端１０ｃを取付基部５に溶接する。図２には装飾部材３の取付基部５に弾性部材１０が固定された状態が示されている。この弾性部材１０は、装飾部材３の一端から突出する屈曲部１０ａ及び一対の弾性片１０ｂが装飾部材２の一端に設けられた取付脚部４の凹部８にカラー９を介して収納される。そして、取付脚部４、カラー９及び弾性部材１０の各ピン孔７ａ，７ｂ，７ｃに連結ピン６を挿通させ、連結ピン６の両端を取付脚部１０のピン孔７ａの周縁部にかしめることによって、装飾部材２，３が回転可能に軸着される。
【００２４】
前記弾性部材１０は、バネ性が付与された屈曲部１０ａ及び一対の弾性片１０ｂがカラー９を介して取付脚部４に挟着されることになる。一対の弾性片１０ｂは、バネ性をもった状態でカラー９に接触しカラー９を押圧することで、カラー９との間に接触摩擦抵抗が発生する。図３に示されるように、弾性片１０ｂは平板状に形成されているためカラー９の側壁部９ａとの接触面積が大きく、カラー９との間に大きな接触摩擦抵抗を発生させることができる。その結果、装飾部材２，３を開閉する際には大きな接触摩擦抵抗を伴いながら回転させることができる一方、装飾部材２，３を閉じて耳たぶを挟持する際には大きな摩擦力が保持されるため耳たぶから脱落するといったことがない。さらに、本実施形態の弾性部材１０は、一枚の板状部材をＵ字状に折り曲げて立体的に形成してあるのでへたりにくく、ワッシャのような平面的な弾性材に比べて弾性力が低下し難いメリットがある。
【００２５】
前記カラー９及び弾性部材１０は、ステンレスなどの硬質材によって形成されているため、両者の接触面における耐摩耗性が高く、カラー９と弾性部材１０との間の摩擦力を長期間に亘って維持することができる。また、貴金属材によって形成されることが多い装飾部材２，３同士が擦れ合うことがないので、装飾部材２，３をスムーズに回転させることができると同時に装身具としての寿命が伸びる。
【００２６】
装飾部材２，３の連結部分では、図４に示されるように、装飾部材２，３が閉じた状態では、弾性部材１０が取付脚部４の凹部８内に収まっているのに対して、図５に示されるように、装飾部材２，３が開いた状態では、弾性部材１０の先端の屈曲部１０ａが取付脚部４の凹部１０から上方に飛び出す。そのため、装飾部材２，３を開いた状態から次第に閉じていくと、弾性部材１０の屈曲部１０ａが両側から圧縮を受けながら凹部８内に収まり、同時に一対の弾性片１０ｂの間の隙間１２も狭められることで弾性片１０ｂのバネ力が強まり、弾性片１０ｂとカラー９との間の接触摩擦抵抗が次第に大きくなる。その結果、装飾部材２，３を閉じる力が徐々に増していくことになり、装飾部材２，３の他端で耳たぶをしっかりと挟める感覚が得られる。また、耳たぶをじわじわとゆっくり挟んでいけるので挟む際の力の入れ具合を加減できる。
【００２７】
一方、装飾部材２，３を閉じた状態から次第に開いていくと、弾性部材１０の先端の屈曲部１０ａが取付脚部４の凹部から上方に次第に飛び出していくのに伴って一対の弾性片１０ｂの間の隙間１２が次第に広がり、弾性片１０ｂとカラー９との間の接触摩擦抵抗が次第に小さくなる。その結果、装飾部材２，３を開く力が小さくて済み、イヤリングを耳たぶから容易に外すことができる。
【００２８】
なお、本発明に係る装身具は、上記実施形態において説明したイヤリングに限定されるものではなく、クリップ式のブレスレットや指輪などにも適用されるものである。
【符号の説明】
【００２９】
１  イヤリング（装身具）
２，３  装飾部材
４  取付脚部
５  取付基部
６  連結ピン
７ａ，７ｂ，７ｃ  ピン孔
８  凹部
８ａ  内側面
８ｂ  凹み
９  カラー
９ａ  側壁部
９ｂ  後壁部
１０  弾性部材
１０ａ  屈曲部
１０ａ’  切欠き
１０ｂ  弾性片
１０ｃ  基端
１０ｄ  突起
１１  凹部
１１ａ  内側面
１１ｂ  凹み
１２  隙間
【要約】
【課題】  所定の挟着力を長期間に亘って維持することのできるクリップ式の装身具を提供する。
【解決手段】  一対の装飾部材２，３を備え、一方の装飾部材２の一端に設けられる一対の取付脚部４と、他方の装飾部材３の一端に設けられ前記一対の取付脚部４に連結される取付基部５と、前記一対の取付脚部４と取付基部５との連結部分を回転可能に軸着する連結ピン６と、を有するイヤリング１である。前記取付基部５には、前記取付脚部４に挟着される弾性部材１０が固定され、この弾性部材１０は屈曲部１０ａと、この屈曲部１０ａから延びる対向する一対の弾性片１０ｂと、を備える。屈曲部１０ａの弾性によって一対の弾性片１０ｂにバネ力が付与され、このバネ性を利用して取付脚部４に挟着される
【選択図】  図１【図１】
0006688495.tif 000002
【図２】
0006688495.tif 000003
【図３】
0006688495.tif 000004
【図４】
0006688495.tif 000005
【図５】
0006688495.tif 000006